(57)【要約】【課題】プロジェクタのランプの照度のバラツキを吸収し、筐体内部の排熱を効果的に実現させる技術を提供する。【解決手段】光源２が点灯している場合、制御部１６は、内部温度検出値Ｖ１を取得し（Ｓ１１）、外部温度検出値Ｖ２を取得し（Ｓ１２）、閾値記憶部１３から閾値テーブルを読み出し（Ｓ１３）、その閾値テーブルに基づき第１〜第４閾値Ｔｈ１〜Ｔｈ４を設定する（Ｓ１４）。更に、制御部１６は、ランプ電圧ＶＬを読み出し（Ｓ１５）、そのランプ電圧ＶＬに基づいて第１〜第４閾値Ｔｈ１〜Ｔｈ４を補正し（Ｓ１６）、内外温度検出値差ΔＶを算出する（Ｓ１７）。次いで、制御部１６は、内外温度検出値差ΔＶと第１閾値Ｔｈ１〜第４閾値Ｔｈ４とを比較して（Ｓ１８、Ｓ２０、Ｓ２２、Ｓ２４）、ファン１０の停止（Ｓ１９）、低速回転（Ｓ２１）、中速回転（Ｓ２３）、高速回転（Ｓ２５）、あるいは光源の消灯（Ｓ２６）に制御する。【選択図】図５
2009258345.tif 000002
【特許請求の範囲】
【請求項１】
通気孔を有する筐体に収容された光源と、前記筐体の内部の温度を検出する内部温度検出部と、前記筐体の外部の温度を検出する外部温度検出部と、前記筐体内部を通気する通気手段とを備え、前記内部温度検出部及び前記外部温度検出部が検出した温度の差に応じて前記通気手段を制御し、前記光源の光を光変調素子にて光変調した変調光を投射するようにしてあるプロジェクタにおいて、
前記光源に印加された電圧を取得する光源電圧検出部と、
前記光源電圧検出部が取得した電圧と、前記内部温度検出部及び前記外部温度検出部が検出した温度の差とに応じて前記通気手段の通気量を制御する通気制御部と、
を備えることを特徴とするプロジェクタ。
【請求項２】
前記通気制御部が制御する前記通気量は、前記内部温度検出部及び前記外部温度検出部が検出した温度の差に応じて複数段階に可変に設定されていることを特徴とすることを特徴とする請求項１に記載のプロジェクタ。
【請求項３】
前記通気制御部は、前記複数段階に可変に設定されている前記通気量を、前記光源電圧検出部が取得した電圧に応じて補正することを特徴とする請求項２に記載のプロジェクタ。
【請求項４】
前記通気制御部は、前記複数段階に可変に設定されている前記通気量として、前記光源電圧検出部が取得した電圧に応じて閾値が記憶されているテーブルを参照することを特徴とする請求項２に記載のプロジェクタ。
【請求項５】
前記通気手段は、ファンを備えており、
前記通気制御部は、前記ファンの回転量を制御することで前記通気量を制御することを特徴とする請求項１から４までのいずれか一項に記載のプロジェクタ。
【請求項６】
前記通気手段は、前記通気の向きを可変とする通気方向変更手段を備え、
前記通気制御部は、前記通気の向きを制御することで、前記通気量を制御することを特徴とする請求項１から５までのいずれか一項に記載のプロジェクタ。
【請求項７】
前記内部温度検出部は、前記光変調素子の近傍に備わることを特徴とする請求項１から６までのいずれか一項に記載のプロジェクタ。
【請求項８】
通気孔を有する筐体に収容された光源と、前記筐体の内部の温度を検出する内部温度検出部と、前記筐体の外部の温度を検出する外部温度検出部と、前記筐体内部を通気する通気手段とを備え、前記内部温度検出部及び前記外部温度検出部が検出した温度の差に応じて前記通気手段を制御し、前記光源の光を光変調素子にて光変調して変調光を投射するようにしてあるプロジェクタにおける通気量の制御方法であって、
前記光源に印加された電圧を取得する光源電圧検出工程と、
前記筐体の外部の温度と、前記筐体の内部の温度とを取得し、前記筐体の外部と内部との温度差を検出する温度差検出工程と、
前記電圧と前記温度差とをもとに前記通気手段の通気量の制御量を決定する制御量決定工程と、
を備えることを特徴とする通気量の制御方法。
【請求項９】
前記制御量決定工程は、前記通気手段の通気量の制御量が前記温度差に応じて閾値が複数に設定されているテーブルを参照するテーブル参照工程を含むことを特徴とする請求項８に記載の通気量の制御方法。
【請求項１０】
前記制御量決定工程は、前記通気手段の通気量を制御量として、前記プロジェクタが備える通気用のファンの回転数を決定することを特徴とする請求項８又は９に記載の通気量の制御方法。
【請求項１１】
前記制御量決定工程は、前記光源に印加された前記電圧に応じて、前記ファンの回転数を決定する閾値を補正することを特徴とする請求項１０に記載の通気量の制御方法。
【発明の詳細な説明】
【技術分野】
【０００１】
本発明は、プロジェクタ及びプロジェクタの通気量の制御方法に係り、特に光源を収容した筐体内部及び筐体外部の温度を検出し、筐体内外の温度の差に応じて通気量を制御するプロジェクタ及びその通気量の制御方法に関する。
【背景技術】
【０００２】
プロジェクタにおいて、従来よりある克服すべき課題に、熱問題がある。一般に、プロジェクタは、所定形状の筐体にランプ光源を収納しており、内部の構成部品をランプ光源等から放出される熱から守るために、筐体内部に生じる熱をファンで排出している。また、排気口部分には安全性の観点から、排熱により加熱されたときの上限温度が規定されている。このような背景により、プロジェクタの開発に当たり、熱に対する対策が非常に重要になっている。当然に、前記のファンの回転数を上げることで通気量を増やし排熱効果を高めることができるが、回転数の増加に伴い騒音も増加してしまい、ユーザの許容を超えてしまうおそれもある。
【０００３】
そこで、ファンの回転数と騒音とのバランスをとり効果的に排熱する技術が幾つか提案されている。例えば、プロジェクタの小型化を図り、かつ効率よく装置内部を冷却する技術がある（例えば、特許文献１参照）。この技術では、光学ユニットと、電源ユニットと、光学ユニット及び電源ユニットを収納する外装ケースを備えた投写型表示装置において、電源ユニットの一方の端部には、吸気用開口が形成され、他方の端部には排気用開口が形成され、吸気用開口は外装ケースの空気取入口の近傍に配置され、排気用開口は外装ケースの排気口の近傍に配置されている。そして、吸気用開口及び排気用開口を備えているので、電源ユニットの内部を独立して効率よく冷却することが可能となり、光学ユニット及び電源ユニットを密に配置することが可能となる。
【０００４】
また、ファンの騒音を抑えつつ、かつ、光源や光学素子等の劣化を防止できるようにすることを目的とした技術がある（例えば、特許文献２参照）。この技術では、投写型表示装置は、光源ランプユニットと、変調装置を含む光学系ユニットと、光学系で形成された画像を拡大投写する投写レンズと、装置駆動用の電力を供給する電源ユニットと、電源用吸気ファン、変調装置用吸気ファンと、排気ファンとを有する。電源投入後の一定期間は、電源用吸気ファンのみを駆動させることにより、ファンの騒音を抑えることができる。また、その他のファンは、温度センサによる検出温度に基づいて回転速度を制御することにより、光源ランプや光学素子等の劣化を防止することができる。
【０００５】
しかし、特許文献１及び２に開示の技術においては、ファンの騒音を抑え電子部品及び光源が熱で劣化することを防止するとともに、温度検出手段の追加が不要とすることが課題として残っていた。つまり、光源の光量が経時変化によって減少した場合、光照射によってＤＭＤ（Digital Micromirror Device）に与えられる熱量が低下する。一方、光源から周囲に熱伝導する熱量は変化しない。したがって、光源の累積点灯時間が長い程、ＤＭＤの温度が他の電子部品に比べて低温になり、ＤＭＤ近傍に温度センサが配置されることから電子部品が高温にも関わらずファンが回転せず、また光源が消灯しないおそれがあった。つまり、光源の周囲温度が電子部品の劣化を招く温度まで上昇しているにも関わらず、ＤＭＤの温度は低いままであるため、ファンの回転数は上昇せず、電子部品及び光源が劣化するという課題があった。その課題解決を実現する技術も提案されている（例えば、特許文献３参照）。この技術では、通気孔を有する筐体に収容された光源と、光源からの光を光変調するＤＭＤに並設されており、筐体内部の温度を検出する内部温度検出部と、内部温度検出部及び外部温度検出部が検出した温度の差に応じてファンの回転数を制御し、ＤＭＤにて光変調された変調光を投射するプロジェクタに、光源の点灯時間及び閾値を対応付けた閾値テーブルと、光源の点灯時間を計時する計時部と、計時部が計時した点灯時間及び閾値テーブルに基づいて閾値を特定する特定手段と、該特定手段が特定した閾値及び前記温度の差を比較し、比較結果に応じてファンの回転数を制御する手段とを備える。このような構成によって、温度検出手段を追加せずに経時変化する光量の影響を反映させた効率的な排熱が図られている。
【特許文献１】特開平１０−１８６５１３号公報
【特許文献２】特開２０００−３５６１３号公報
【特許文献３】特開２００７−２７９３６５号公報
【発明の開示】
【発明が解決しようとする課題】
【０００６】
ところで特許文献３に開示の技術では、ファンの回転数切換や電源をオフする設定値をランプの点灯累積時間によって変化させていた。この技術では、ランプの減光特性として事前に測定しておいた平均値が使用されている。図６に、光源（ランプ）の累積点灯時間に対するランプ電圧ＶＬ及び照度の一般的な関係を示す。ここでは、中央のランプ電圧ＶＬ（Ａ２）に対して中央の照度（Ａ１）が対応しており、上のランプ電圧ＶＬ（Ｃ２）
に下の照度（Ｃ１）が対応し、そして下のランプ電圧Ｖｌ（Ｂ２）に上の照度（Ｂ１）が対応している。図示のように、累積点灯時間が増えるにしたがって、照度は徐々に減少するがランプ電圧ＶＬが増加する。更に、その減光特性は個体によるバラツキを有しており、極端に短い寿命のランプや極端に長い寿命のランプに対しては最適な制御ができないという課題があった。温度センサをＤＭＤ近傍のみでなく光源の近傍等に追加設置することも技術的には可能であるが、コスト増加等の観点で別の技術が求められていた。
【０００７】
本発明はこのような状況に鑑みてなされたものであり、プロジェクタのランプの照度のバラツキを吸収し、筐体内部の排熱を効果的に実現させる技術を提供することを目的とする。
【課題を解決するための手段】
【０００８】
本発明のある態様は、プロジェクタに関する。このプロジェクタは、通気孔を有する筐体に収容された光源と、前記筐体の内部の温度を検出する内部温度検出部と、前記筐体の外部の温度を検出する外部温度検出部と、前記筐体内部を通気する通気手段とを備え、前記内部温度検出部及び前記外部温度検出部が検出した温度の差に応じて前記通気手段を制御し、前記光源の光を光変調素子にて光変調した変調光を投射するようにしてあるプロジェクタにおいて、前記光源に印加された電圧を取得する光源電圧検出部と、前記光源電圧検出部が取得した電圧と、前記内部温度検出部及び前記外部温度検出部が検出した温度の差とに応じて前記通気手段の通気量を制御する通気制御部と、を備える。
また、前記通気制御部が制御する前記通気量は、前記内部温度検出部及び前記外部温度検出部が検出した温度の差に応じて複数段階に可変に設定されてもよい。
また、前記通気制御部は、前記複数段階に可変に設定されている前記通気量を、前記光源電圧検出部が取得した電圧に応じて補正してもよい。
また、前記通気制御部は、前記複数段階に可変に設定されている前記通気量として、前記光源電圧検出部が取得した電圧に応じて閾値が記憶されているテーブルを参照してもよい。
また、前記通気手段は、ファンを備えており、前記通気制御部は、前記ファンの回転量を制御することで前記通気量を制御してもよい。
また、前記通気手段は、前記通気の向きを可変とする通気方向変更手段を備え、前記通気制御部は、前記通気の向きを制御することで、前記通気量を制御してもよい。
また、前記内部温度検出部は、前記光変調素子の近傍に備わってもよい。
本発明の別の態様は、プロジェクタにおける通気量の制御方法に関する。この方法は、通気孔を有する筐体に収容された光源と、前記筐体の内部の温度を検出する内部温度検出部と、前記筐体の外部の温度を検出する外部温度検出部と、前記筐体内部を通気する通気手段とを備え、前記内部温度検出部及び前記外部温度検出部が検出した温度の差に応じて前記通気手段を制御し、前記光源の光を光変調素子にて光変調して変調光を投射するようにしてあるプロジェクタにおける通気量の制御方法であって、前記光源に印加された電圧を取得する光源電圧検出工程と、前記筐体の外部の温度と、前記筐体の内部の温度とを取得し、前記筐体の外部と内部との温度差を検出する温度差検出工程と、前記電圧と前記温度差とをもとに前記通気手段の通気量の制御量を決定する制御量決定工程と、を備える。
また、前記制御量決定工程は、前記通気手段の通気量の制御量が前記温度差に応じて閾値が複数に設定されているテーブルを参照するテーブル参照工程を含んでもよい。
また、前記制御量決定工程は、前記通気手段の通気量を制御量として、前記プロジェクタが備える通気用のファンの回転数を決定してもよい。
また、前記制御量決定工程は、前記光源に印加された前記電圧に応じて、前記ファンの回転数を決定する閾値を補正してもよい。
【発明の効果】
【０００９】
本発明によれば、プロジェクタのランプの照度のバラツキを吸収し、筐体内部の排熱を効果的に実現させる技術を提供することができる。
【発明を実施するための最良の形態】
【００１０】
以下、発明を実施するための最良の形態（以下、単に「実施形態」という）を示す図面に基づいて詳述する。以下の説明では、プロジェクタにおいて排熱を最適化するために、筐体の内外の温度差を算出し、その温度差と所定の閾値を比較することで、排気ファンの回転数を決定する。更に、図６で示したような経時変化による減光特性を排気ファンの回転数の制御に反映させるために、ランプ電圧に応じて上記の閾値を変更する。
【００１１】
図１は、実施形態に係るＤＬＰ（Digital Light Processing：登録商標）方式のプロジェクタ１００の構造についての略示横断面図を示し、図２は、主にプロジェクタ１００の動作を実現するための機能ブロック図である。図１に示すように、プロジェクタ１００は、例えば超高圧水銀ランプ、メタルハライドランプ等の光源２を中空略直方体の筐体１に収容する。
【００１２】
筐体１は、矩形の底板部１ａを備えており、底板部１ａの４辺には正面壁１ｂ、側壁１ｃ，１ｄ、及び背面壁１ｅが底板部１ａに対して略垂直に形成されている。正面壁１ｂ、側壁１ｃ，１ｄ及び背面壁１ｅの上端には図示しない天板部が形成されている。側壁１ｃ，１ｄ及び背面壁１ｅには、複数のスリットからなる通気孔１ｆ，１ｇ，１ｈがそれぞれ形成されている。
【００１３】
光源２は、筐体１内部の背面側の角に配されており、光源２には、電力を供給して光源２を点灯させる点灯回路２０が接続されている。点灯回路２０には、ランプ電圧検出部２３が接続されており、光源２のランプ電圧ＶＬを検出する。なお、点灯回路２０及びランプ電圧検出部２３の回路について、一般的な構成で実現できるので説明は省略する。そして、光源２が発した白色光は、回転放物面状の反射鏡３によって反射されてカラーホイール４を透過し、ロッドインテグレータ６に入射する。
【００１４】
カラーホイール４は、赤・緑・青の光をそれぞれ透過させる扇状のカラーフィルタを周方向に配しており、カラーフィルタの回転通過域に光源２の投光域が位置するように配置されている。
【００１５】
カラーホイール４の中心部には、モータ駆動部２２により回転駆動されるモータ５の出力軸が接続されており、モータ駆動部２２はモータ５を等速回転させる。モータ５の回転は、マイクロコンピュータからなる制御部１６によって制御される。
【００１６】
カラーホイール４が等速回転している場合、白色光は赤色、緑色及び青色のカラーフィルタに順次的に入射し、時系列で赤・緑・青の光に色時分割される。色時分割された光は、略長方形のロッドインテグレータ６の入射口に入射し、入射した光は、ロッドインテグレータ６の内面で反射を繰り返して均一な光となり、出射口から照明レンズ群７に入射する。
【００１７】
照明レンズ群７は、コンデンサレンズ及びリレーレンズからなり、白色光を光変調素子、例えばＤＭＤ８に入射させる。ＤＭＤ８は、画像データに係る画像の各ドットに対応付けられた複数の微小可動ミラーを備えており、光源２から筐体１の横方向に離隔するように配されている。ＤＭＤ８にはＤＭＤ駆動部２１が接続されており、ＤＭＤ駆動部２１は、制御部１６から与えられた画像データに基づいて、色時分割された赤・緑・青の光が、投射レンズ９へ又は投射レンズ９外へ選択的に反射するように、各微小可動ミラーを選択的に±１０度傾ける。ＤＭＤ８に入射した光は、ＤＭＤ８の微小可動ミラーにより光変調され、光変調された変調光は、投射レンズ９に入射する。
【００１８】
投射レンズ９は、正面壁１ｂの横方向一端側、光源２と対角をなす箇所に設けられており、変調光、即ち画像を拡大表示する光をスクリーンに投射する。その結果、画像データに係る画像がスクリーンに色時分割表示される。
【００１９】
背面壁１ｅの光源２近傍部分には、筐体１内部を通気し、光源２、制御部１６、ＤＭＤ８等を空冷するための排気用のファン１０が配されている。ファン１０の回転中心には、ファン１０を回転させる図示しないモータの出力軸が接続されており、ファン１０はファン駆動部１７によって回転駆動される。
【００２０】
ＤＭＤ８には、筐体１内部に配されたＤＭＤ８、制御部１６等の温度を検出する内部温度検出部１１が並設されている。
【００２１】
内部温度検出部１１は、例えば、筐体１内部の温度を電位信号として第１ＡＤＣ１５に出力し、第１ＡＤＣ１５は入力した電位信号をデジタルの検出値Ｖ１（以下、「内部温度検出値Ｖ１」という）にＡＤ変換し、ＡＤ変換した内部温度検出値Ｖ１を制御部１６に与える。内部温度検出部１１は、サーミスタと複数の抵抗から構成される一般的な温度センサであり、ここでは、温度が低くなるにしたがって出力される内部温度検出値Ｖ１は大きくなる。ただし、温度が低くなるにしたがって出力される内部温度検出値Ｖ１は小さくなるタイプの内部温度検出部１１が用いられてもよい。
【００２２】
側壁１ｄに形成された通気孔１ｇには、筐体１外部の温度を検出するための外部温度検出部１２が並設されている。通気孔１ｇから筐体１内部に吸気された空気の温度は、筐体１外部の温度と同程度であるため、外部温度検出部１２は吸気された空気の温度を検出することで、筐体１外部の温度を検出することができる。外部温度検出部１２は内部温度検出部１１と同様の動作及び機能によって、検出した温度を電位信号として第２ＡＤＣ１８に出力する。そして、第２ＡＤＣ１８は、外部温度検出部１２から入力した電位信号をデジタルの検出値Ｖ２（以下、「外部温度検出値Ｖ２」という）にＡＤ変換し、ＡＤ変換した外部温度検出値Ｖ２を制御部１６に与える。外部温度検出部１２は、内部温度検出部１１同様に、温度が低くなるにしたがって出力される外部温度検出値Ｖ２は大きくなる。
【００２３】
制御部１６は、例えばマイクロコンピュータからなり、ＣＰＵ、該ＣＰＵにバスを介して接続されたＲＯＭ、ＲＡＭ等を備えている。ＲＯＭは、光源２の点灯、ファン１０の回転数、ＤＭＤ８による光変調等を制御するための制御プログラムを記憶しており、ＣＰＵはＲＯＭから前記制御プログラムをＲＡＭに読み出して実行することにより、各種ハードウェアの動作を制御する。
【００２４】
制御部１６には、光源２の累積点灯時間を計時するための計時部１４が接続されている。制御部１６は、光源２を点灯させた場合、計時開始の制御信号を計時部１４に与え、光源２を消灯した場合、計時停止の制御信号を計時部１４に与える。計時部１４は、制御部１６から計時開始の制御信号を受けた場合、計時を開始し、計時停止の制御信号を受けた場合、計時を停止させ、計時結果を保持することにより、光源２の累積点灯時間を計時する。
【００２５】
また、制御部１６には、閾値テーブルを記憶した閾値記憶部１３が接続されている。閾値テーブルは、筐体１の内外の温度差とファン１０の回転数の切り換え及び光源２の点灯を制御するための第１〜第４閾値Ｔｈ１〜Ｔｈ４をそれぞれ対応付けたテーブルである。図３に、外部温度検出値Ｖ２と内部温度検出値Ｖ１の差ΔＶ（＝Ｖ１−Ｖ２；以下「内外温度検出値差ΔＶ」という）、ファン１０の回転数、及び第１〜第４閾値Ｔｈ１〜Ｔｈ４との関係を示す。図示において、太線で示すグラフが、初期設定時のファン１０の回転数を示し、破線がランプ電圧ＶＬにより補正された後のファン１０の回転数を示している。
【００２６】
具体的には、第１閾値Ｔｈ１は、ファン１０を低速回転Ｌさせるか停止させるかを判定するための閾値であり、制御部１６は、内外温度検出値差ΔＶと、第１閾値Ｔｈ１とを比較することで、ファン１０を低速回転Ｌさせるか停止させるかを判定する。具体的には、内外温度検出値差ΔＶが第１閾値Ｔｈ１未満の場合、制御部１６は、筐体１の内外の温度差は小さく筐体１内部はそれほど熱くなっておらず、ファンを回転させる必要はないと判断して、ファン１０を停止させる。
【００２７】
第２閾値Ｔｈ２は、ファン１０を低速回転Ｌさせるか否かを判定するための閾値であり、第１閾値Ｔｈ１より大きな値である。制御部１６は、内外温度検出値差ΔＶと、第２閾値Ｔｈ２とを比較することで、ファン１０を低速回転Ｌさせるか否かを判定する。内外温度検出値差ΔＶが第１閾値Ｔｈ１以上で第２閾値Ｔｈ２未満である場合、制御部１６は、ファン１０を低速回転Ｌさせる。
【００２８】
第３閾値Ｔｈ３は、ファン１０を中速回転Ｍさせるか否かを判定するための閾値であり、第２閾値Ｔｈ２より大きな値である。制御部１６は、内外温度検出値差ΔＶと、第３閾値Ｔｈ３とを比較することで、ファン１０を中速回転Ｍさせるか否かを判定する。内外温度検出値差ΔＶが第２閾値Ｔｈ２以上で第３閾値Ｔｈ３未満である場合、制御部１６は、ファン１０を中速回転Ｍさせる。
【００２９】
第４閾値Ｔｈ４は、ファン１０を高速回転Ｈさせるか否かを判定するための閾値であり、第３閾値Ｔｈ３より大きな値である。制御部１６は、内外温度検出値差ΔＶと、第４閾値Ｔｈ４とを比較することで、ファン１０を高速回転Ｈさせるか否かを判定する。内外温度検出値差ΔＶが第３閾値Ｔｈ３以上で第４閾値Ｔｈ４未満である場合、ファン１０を高速回転させる。内外温度検出値差ΔＶが第４閾値Ｔｈ４以上である場合、光源２を消灯させ（図中「ランプ消灯」と表記）、所定時間経過後ファン１０の回転を停止させさる。
【００３０】
そして、第１〜第４閾値Ｔｈ１〜Ｔｈ４は、ランプ電圧ＶＬに応じて、図中太線で示される初期設定時の値から、破線で示される補正後の値（Ｔｈ１’〜Ｔｈ４’）にシフトする。図４は、閾値記憶部１３の閾値テーブルにおける光源２のランプ電圧ＶＬと第１閾値Ｔｈ１との対応関係の例を示すグラフである。横軸は光源２のランプ電圧ＶＬ、縦軸は第１閾値Ｔｈ１である。第１閾値Ｔｈ１は、例えば、ランプ電圧ＶＬに関して線形の減少関数であり、ランプ電圧ＶＬと第１閾値Ｔｈ１との関係は下記式（１）で表される。
Ｔｈ１＝−α×ＶＬ＋Ｃ０…（１）
ただし、αは傾き、Ｃ０は定数であり、ランプ電圧ＶＬ＝０のときの第１閾値Ｔｈ１に相当する。また、傾きαは、実験的に別途決定される。
【００３１】
上述のように、累積点灯時間が長くなるにしたがって、光源２の照度は減少し、一方でランプ電圧ＶＬは上昇する。その結果、光が照射されるＤＭＤ８の温度は低くなり、ＤＭＤ８に並設されている内部温度検出部１１の内部温度検出値Ｖ１は大きくなる。したがって、内外温度検出値差ΔＶ（＝Ｖ２−Ｖ１）の値は、筐体１内外の温度差が一定であっても、累積点灯時間が長くなる程、つまりランプ電圧ＶＬが上昇する程、小さくなる。このようなことから、第１閾値Ｔｈ１は、光源２の経時変化による内外温度検出値差ΔＶの変化に合わせて低くなるように設定されている。そして、第２閾値Ｔｈ２から第４閾値Ｔｈ４も、第１閾値Ｔｈ１と同様の線形の減少関数に設定されている。
【００３２】
図５は、ファン１０の回転数及び光源２の点灯に係る制御部１６の処理手順を示すフローチャートである。
【００３３】
電源が投入され、光源２が点灯している場合、制御部１６は、内部温度検出部１１の内部温度検出値Ｖ１を第１ＡＤＣ１５から取得する（Ｓ１１）。そして、外部温度検出部１２の外部温度検出値Ｖ２を第２ＡＤＣ１８から取得する（Ｓ１２）。
【００３４】
次いで、制御部１６は、閾値記憶部１３から閾値テーブルを読み出し（Ｓ１３）、読み出した閾値テーブルに基づいて、第１〜第４閾値Ｔｈ１〜Ｔｈ４を設定する（Ｓ１４）。
【００３５】
次いで、制御部１６は、ランプ電圧検出部２３からランプ電圧ＶＬを読み出し（Ｓ１５）、読み出したランプ電圧ＶＬに基づいて、図３に示すように（１）式による第１〜第４閾値Ｔｈ１〜Ｔｈ４の補正を実行する（Ｓ１６）。
【００３６】
そして、制御部１６は、外部温度検出値Ｖ２と内部温度検出値Ｖ１から内外温度検出値差ΔＶを算出する（Ｓ１７）。次いで、制御部１６は、内外温度検出値差ΔＶが第１閾値Ｔｈ１未満であるか否かを判定する（Ｓ１８）。内外温度検出値差ΔＶが第１閾値Ｔｈ１未満であると判定した場合（Ｓ１８のＹ）、制御部１６は、ファン駆動部１７を制御してファン１０を停止させる（Ｓ１９）。
【００３７】
内外温度検出値差ΔＶが第１閾値Ｔｈ１以上であると判定した場合（Ｓ１８のＮ）、制御部１６は、内外温度検出値差ΔＶが第２閾値Ｔｈ２未満であるか否かを判定する（Ｓ２０）。内外温度検出値差ΔＶが第２閾値Ｔｈ２未満であると判定した場合（Ｓ２０のＹ）、制御部１６は、ファン駆動部１７を制御してファン１０を低速回転Ｌさせる（Ｓ２１）。
【００３８】
内外温度検出値差ΔＶが第２閾値Ｔｈ２以上であると判定した場合（Ｓ２０のＮ）、制御部１６は、内外温度検出値差ΔＶが第３閾値Ｔｈ３未満であるか否かを判定する（Ｓ２２）。内外温度検出値差ΔＶが第３閾値Ｔｈ３未満であると判定した場合（Ｓ２２のＹ）、制御部１６は、ファン駆動部１７を制御してファン１０を中速回転Ｍさせる（Ｓ２３）。
【００３９】
内外温度検出値差ΔＶが第３閾値Ｔｈ３以上であると判定した場合（Ｓ２２のＮ）、制御部１６は、内外温度検出値差ΔＶが第４閾値Ｔｈ４未満であるか否かを判定する（Ｓ２４）。内外温度検出値差ΔＶが第４閾値Ｔｈ４未満であると判定した場合した場合（Ｓ２４のＹ）、制御部１６は、ファン駆動部１７を制御してファン１０を高速回転Ｈさせる（Ｓ２５）。
【００４０】
内外温度検出値差ΔＶが第４閾値Ｔｈ４以上であると判定した場合（Ｓ２４のＮ）、制御部１６は、点灯回路２０を制御して光源２を消灯し（Ｓ２６）、更に所定時間経過後ファン駆動部１７を制御してファン１０の回転を停止させる（Ｓ２７）。ファン１０の停止（Ｓ１９、Ｓ２７）又は回転速度の設定（Ｓ２１，Ｓ２３、Ｓ２５）が終了したら、ファン１０の回転数及び光源２の点灯に係る処理を終える。なお、制御部１６は、Ｓ２７の処理において、内外温度検出値差ΔＶが所定値になったときにファン１０を停止させてもよい。
【００４１】
以上のような構成及び動作を行うプロジェクタ１００によれば、光源２のランプ電圧ＶＬに応じた、言い換えると経時変化に応じたファン１０の回転数制御及び光源２の点灯制御を可能にする第１〜第４閾値Ｔｈ１〜Ｔｈ４を特定してファン１０の回転数及び光源２の点灯を制御することにより、光源２が経時変化した場合であっても、ファン１０の騒音を抑えるとともに電子部品及び光源２が熱で劣化することを防止することができる。
【００４２】
また、ＤＭＤ８近傍に備わる内部温度検出部１１以外に筐体１の内部の温度を検出するためとして温度検出部を追加する必要がないため、上述の効果を有するプロジェクタ１００を低コストで実現できる。更に、製造工程でプロジェクタ１００に備える光源２の照度がバラツキを有する場合であっても、その照度が反映されたランプ電圧ＶＬに応じてファン１０の回転数を制御するので、ファン１０の騒音を抑えるとともに電子部品及び光源２が熱で劣化することを防止することができる。
【００４３】
また、背景技術の特許文献３に開示の技術のように、経過時間から照度を推定した構成において、ユーザがランプ交換してランプリセット（経過時間のリセット）を忘れた場合に、不適当な制御となってしまうというおそれがある。しかし、本実施形態のプロジェクタ１００は、ランプ電圧ＶＬを用いることで、このようなランプリセットを忘れた場合でも、最適なファン制御ができる。したがって、必要以上にファン騒音を発生させることもなく、あるいは、必要以上に部品に熱ストレスをかけることもない。
【００４４】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００４５】
上述のプロジェクタ１００は、光変調素子としてＤＭＤ８を備えているが、他の光変調素子、例えば液晶パネルを備えてもよい。更に、筐体１外部の温度を検出する外部温度検出部１２が筐体１内部の通気孔１ｇ近傍に配置されているが、筐体１外部に配置されてもよい。
【００４６】
また、上述のプロジェクタ１００は、通気量を排気用のファン１０の回転数にて制御したが、これに限る趣旨ではない。例えば、プロジェクタ１００が吸気用のファンを備えていれば、その吸気用のファンの回転数の制御により通気量の制御がなされてもよい。当然に、排気用のファン１０と吸気用のファンの両方の回転数が制御されてもよい。更に、プロジェクタ１００が、背面壁１ｅの通気孔１ｈに可動式の羽根（ルーバー）等を備えていれば、そのルーバーの向きが制御されることで、通気量が制御されるようにしてもよい。
【図面の簡単な説明】
【００４７】
【図１】実施形態に係る、ＤＬＰ方式のプロジェクタの構造の略示横断面図である。
【図２】実施形態に係る、プロジェクタの構成を示すブロック図である。
【図３】実施形態に係る、内外温度検出値差ΔＶ、ファンの回転数、及び第１〜第４閾値の関係を示すグラフである。
【図４】実施形態に係る、閾値記憶部の閾値テーブルにおける光源のランプ電圧ＶＬと第１閾値との対応関係の例を示すグラフである。
【図５】実施形態に係る、プロジェクタにおけるファンの回転数及び光源の点灯に係る制御部の処理手順を示すフローチャートである。
【図６】従来技術に係る、光源の累積点灯時間に対するランプ電圧ＶＬ及び照度の一般的な関係を示すグラフである。
【符号の説明】
【００４８】
１  筐体
２  光源
８  ＤＭＤ
１０  ファン
１１  内部温度検出部
１２  外部温度検出部
１３  閾値記憶部
１５  第１ＡＤＣ
１６  制御部
１７  ファン駆動部
１８  第２ＡＤＣ
２３  ランプ電圧検出部
【図１】
2009258345.tif 000003
【図２】
2009258345.tif 000004
【図３】
2009258345.tif 000005
【図４】
2009258345.tif 000006
【図５】
2009258345.tif 000007
【図６】
2009258345.tif 000008